(57)【要約】      （修正有）【課題】サングラスを装着せずに、照射光から目を保護した上で、照射光が歯に的確に照射できる歯のホワイニング照射機器を提供する。【解決手段】照射口に筒なる形状の遮光部材１を装着させ、遮光部材に使用者は口を直接当てるようにした。この遮光材を装着することでＬＥＤ光が漏れず、サングラスが不必要となる。且つ照射場所を一定の場所に固定化することで、照射光のずれ等の可能性が低減でき、照射効果・保温効果の安定化も計れる。【選択図】図１
2016221190.tif 000002
【特許請求の範囲】
【請求項１】
筒状の遮光部材であり、一端部を歯のホワイトニング照射器の照射口に着脱自在に装着し、他端部を使用者の口内に臨ませるか、もしくは口の外周部に密着させて、ホワイトニング照射器の照射光を外部より遮光するとともに、白化する歯の領域を特定することで照射効率の向上を計るとともに、照射光の熱の放散を防いで保温効率の向上を計ることを兼用させて、歯のホワイトニング効率の向上を計ったことを特徴とする歯のホワイトニング照射器の遮光部材。
【請求項２】
上記、遮光部材は、内壁面を光反射効率の高い鏡面状として遮光するか、もしくは内壁面を白色とし外壁面を黒色として遮光したことを特徴とする前記請求項１に記載の歯のホワイトニング照射器の遮光部材。
【請求項３】
上記、遮光部材は、使用者の口の外周部に密着させる端部を、顔に密着して外部に光が漏れないように凹形状としたことを特徴とする前記請求項１乃至請求項２に記載の歯のホワイトニング照射器の遮光部材。
【請求項４】
上記、遮光部材は、使用者の口内に臨む端部を歯茎の凸形状に沿う凹形状としたことを特徴とする前記請求項１乃至請求項２に記載の歯のホワイトニング照射器の遮光部材。
【請求項５】
上記、遮光部材は、使用者の口の外側に密着するかもしくは口内に臨む端部に、カールもしくは鍔を形成したことを特徴とする前記請求項１乃至請求項４に記載の歯のホワイトニング照射器の遮光部材。
【請求項６】
上記、遮光部材は、使用者の口内に臨む端部の開口を、ホワイトニングをする歯の領域が特定できるような大きさとして開口器を兼用としたことを特徴とする前記請求項１乃至請求項５に記載の歯のホワイトニング照射器の遮光部材
【請求項７】
上記、遮光部材は、筒の内部を透明仕切り板で区画して使用者の唾等の飛散物がホワイトニング照射器の照射口に当たらないようにしたことを特徴とする前記請求項１乃至請求項６に記載の歯のホワイトニング照射器の遮光部材。
【請求項８】
上記、遮光部材は、相互の嵌合によって接合する内筒と外筒で構成するとともに、透明仕切り板は薄いフィルムとし、このフィルムを内筒の一方の端部に覆い被せ、この外周に外筒を嵌めて内筒と外筒を接合することで内部が区画されるようにしたことを特徴とする前記請求項７に記載の歯のホワイトニング照射器の遮光部材。
【請求項９】
上記、遮光部材は、外部に光が漏れないように遮光した筒状部材と、透明のコップ状部材で構成し、筒状部材の一端部を閉塞するようにしてコップ状部材の底部を固着し、この底部で透明仕切り板を兼用するとともに、コップ状部材を使用者の口内に臨ませて遮光するようにしたことを特徴とする前記請求項８に記載の歯のホワイトニング照射器の遮光部材。
【請求項１０】
上記、遮光部材は、筒の外周に保温性のある樹脂などを巻いたことを特徴とする前記請求項１乃至請求項６に記載の歯のホワイトニング照射器の遮光部材。
【発明の詳細な説明】
【技術分野】
【０００１】  この発明は歯の表面の汚れを除去して白化するホワイトニング及びクリーニングを行なう照射器に付属する部材に関する。
【背景技術】
【０００２】  歯のホワイトニング及びクリーニンクを行なうには、歯の表面に洗浄用の基剤を塗り、特定領域の波長のＬＥＤ光を照射して光や熱による反応を促進させた後に、再度歯ブラシ等で口内を洗浄して白化するものである。【０００３】  従って、従来、ＬＥＤ光を照射する際にＬＥＤ光から目を保護することを目的に、サングラス等を装着することが必要とされている。【０００４】  サングラスを装着しない仕様では、特許文献１・２があり、これは照射器本体を口でくわえているため、非衛生的であり、また、使用者によって取り外しできるようにしても、消毒等の作業がともない、さらに器具自体がコスト高なものであった。
【先行技術文献】
【特許文献】
【０００５】
【特許文献１】特開２０１１−２５４９５８号
【特許文献２】実用新案登録第３１６０９２１号
【発明の概要】
【発明が解決しようとする課題】
【０００６】  然しながら特許文献１・２では、使用者が口で直接照射器をくわえる為、不特定多数の使用者が存在する店舗などでは、衛生面・使用者心理等含めこの活用においては、不適合であった。また、従来のサングラス使用方法だとライトと照射箇所を固定できず、歯に照射光が当たっているか常に確認する必要がある。尚、その作業を怠ると光が正確に当たらず照射効果が低下する可能性も生じてしまう。またサングラスを装着することでメガネ等使用の弱視の使用者は、その付け外しの手間や文字等が読みづらくなる等、使用者の利便性が低いものとなっている。また照射光の熱は放散する為、使用環境の室温等の影響を受け易く、保温効率も低いものとなっている。【０００７】  本発明は、上記に鑑みてなされたものであって、サングラスを装着せずに、照射光から目を保護した上で、照射光が歯に的確に照射でき得ること且つ保温率を向上させることを目的としている。
【課題を解決するための手段】
【０００８】  前記課題を解決するためこの遮光部材は、筒状の遮光部材であり、一端部を歯のホワイトニング照射器の照射口に着脱自在に装着し、他端部を使用者の口内に臨ませるか、もしくは口の外周部に密着させて、ホワイトニング照射器の照射光を外部より遮光するとともに、白化する歯の領域を特定することで照射効率の向上を計るとともに、照射光の熱の放散を防いで保温効率の向上を計ることを兼用させて、歯のホワイトニング効率の向上を計ったことを特徴とする。【０００９】  また、上記、遮光部材は、内壁面を光反射効率の高い鏡面状として遮光するか、もしくは内壁面を白色とし外壁面を黒色として遮光したことを特徴とする。【００１０】  また、上記、遮光部材は、使用者の口の外周部に密着させる端部を、顔に密着して外部に光が漏れないように凹形状としたことを特徴とする。【００１１】  また、上記、遮光部材は、使用者の口内に臨む端部を歯茎の凸形状に沿う凹形状としたことを特徴とする。【００１２】  また、上記、遮光部材は、使用者の口の外側に密着するかもしくは口内に臨む端部に、カールもしくは鍔を形成したことを特徴とする。【００１３】  また、上記、遮光部材は、使用者の口内に臨む端部の開口を、ホワイトニングをする歯の領域が特定できるような大きさとして開口器を兼用としたことを特徴とする。【００１４】  また、上記、遮光部材は、筒の内部を透明仕切り板で区画して使用者の唾等の飛散物がホワイトニング照射器の照射口に当たらないようにしたことを特徴とする。【００１５】  また、上記、遮光部材は、相互の嵌合によって接合する内筒と外筒で構成するとともに、透明仕切り板は薄いフィルムとし、このフィルムを内筒の一方の端部に覆い被せ、この外周に外筒を嵌めて内筒と外筒を接合することで内部が区画されるようにしたことを特徴とする。【００１６】  また、上記、遮光部材は、外部に光が漏れないように遮光した筒状部材と、透明のコップ状部材で構成し、筒状部材の一端部を閉塞するようにしてコップ状部材の底部を固着し、この底部で透明仕切り板を兼用するとともに、コップ状部材を使用者の口内に臨ませて遮光するようにしたことを特徴とする。【００１７】  また、上記、遮光部材は、筒の外周に保温性のある樹脂などを巻いたことを特徴とする。
【発明の効果】
【００１８】  本発明は、上記のように構成したので、第１にサングラスが不必要となった。【００１９】  第２に、遮光することで照射箇所以外に光がもれないため、また内壁面を光反射効率の高い白色もしくは鏡面状としたので照射効率且つ保温効率の向上が図れる。【００２０】  第３に、遮光材を紙もしくはプラスチックなどの素材でホワイトニング照射器の照射口に着脱自在に装着可能にし、使い捨てとすることで衛生面と業務効率の向上が図れる。【００２１】  第４に、照射口と使用者の口を密着する為、照射箇所が固定化できるので、歯に照射光が当たっているか常に確認する必要が不要となり利便性が向上するとともに、確実に照射効果を高めることができる。【００２２】  第５に、口の外側に密着する端部をカールもしくは鍔に形成したので、遮光部材を使用者の口に密着させても密着の跡や密着による痛みを軽減することができる。【００２３】  第５に、口の外側に密着する端部を円形もしくは扁平形状としてので、顔や口のサイズに関係なく端部を密着することができる。【００２４】  第６に、使用者の口内に臨ませる場合、扁平形状の開口器を兼用したので開口機能を向上させることが可能となり、照射によりホワイトニングする歯の領域を拡張・特定化ができる。【００２５】  第７に、歯のホワイトニングに於いて、洗浄用の基材を塗布し照射する際に、基材が３７℃〜４５℃程度の温度だとホワイトニング効率が良くなる。従ってこの遮光部材を使用することで照射熱の放射を低減し、ホワイトニング効果を向上できる。【００２６】  第８に、照射器の照射口と使用者が開口した状態の間に仕切り板を造ることで、衛生面を考慮した部材とすることができる。【００２７】  第９に、使用者はサングラスを使用しないいので、メガネの付け外しや光が照射箇所にあたっているかの確認を行う必要がなく、使用者の利便性向上が図れる。【００２８】  第１０に、遮光部材は、筒の外周に保温性のある樹脂などを巻くことで筒内部の保温効率を更に向上させることができる。
【図面の簡単な説明】
【００２９】
【図１】この発明の遮光部材の斜視図
【図２】照射器の斜視図
【図３】遮光部材の使用例を示す平面図
【図４】図３の側面図
【図５】遮光部材の他の使用例を示す平面図
【図６】図５の側面図
【図７】一端部をカールした遮光部材の断面図
【図８】図７の使用状態を示す平面図
【図９】図７の他の使用状態を示す平断面図
【図１０】透明仕切り板を備えた遮光部材の断面図
【図１１】図１０の使用状態を示す断面図
【図１２】図１０の他の形成例を示す断面図
【図１３】図１０の他の形成例を示す断面図
【図１４】樹脂を外周に巻いた遮光部材の断面図
【発明を実施するための形態】
【００３０】  以下、図１〜図１４を参照し、この実施態様を通じて本発明を詳説する。
【００３１】  遮光部材１は図１で示したように筒状とし、使用にあたっては、この一端部２をホワイトニング照射器３の照射口４に着脱自在に装着し、他端部５を使用者Ａの口Ｂの外周部に密着してホワイトニング照射器３の照射光が外部に漏れないようにして使用する。
【００３２】  遮光部材１は材質を紙とした場合の遮光の手段としては、反射効率は考慮せずに黒色の紙で筒を作る。また、内側を白色、外側を黒色した２枚の紙の貼り合せとする。また、白色の紙で筒を造り外側を遮光塗装する。もしくは、片面に金属箔などを貼って鏡面を形成した紙で内部に鏡面がくるようにして筒を作る等としても良い。
【００３３】  上記、遮光部材をプラスチックとする場合は、反射効率は考慮せずに黒色で成形する。また、白色で成形して外側を遮光塗装する。もしくは、筒の内部に金属箔を蒸着して鏡面にする等としても良い。
【００３４】    図２は、ホワイトニング照射器３を示し、ＬＥＤ等を光源とする照射口４を備えた本体６と、本体６の高さや角度を可変固定できるアーム７とで構成している。
【００３５】    上記の遮光部材１は、図３と図４で示したように遮光部材１の一方の端部５を使用者Ａの口Ｂの外周に密着させて使用する。また、図５と図６で示したように、遮光部材の一方の端部５を使用者Ａの口内に臨ませて使用する。
【００３６】  遮光部材１の上記の端部５は、図８で示したように顔や口内の歯茎等と密着して光が漏れないように凹形状８としている。この端部５は図７及び図８で示したようにカール９もしくは図１２で示したように鍔１０を形成して、顔や口内への装着にあたっても痛くないようにしている。
【００３７】  この遮光部材１は図９で示したように、一端部５を口内に入れてこの開口部１１で従来の開口器が兼用できるようにしている。即ち、開口部１１をホワイトニングする歯の上下の本数分をカバーできる大きさとした扁平な楕円形状としている。
【００３８】  図１０と図１１は遮光部材１の内部を透明な仕切り板１２で仕切って、使用者の唾等の飛散物が照射口４に付着しないようにしたものを例示している。即ち、遮光部材１を内筒１３と外筒１４の嵌合で構成し、この嵌合箇所に透明なフィルム１５を被せて接着等の手段で一体化している。
【００３９】  図１２と図１３は透明仕切り板１２の形成例を示し、図１２は遮光部材１の内部に段部１６を設けて、段部１６に透明仕切り板１２を掛止して接着等の手段で固定している。
【００４０】  図１３は遮光部材１を透明なコップ状部材１７と遮光加工した筒状部材１８の接合で形成したものを示している。透明コップ状部材１７の全体が口内に配置されることで遮光される。
【００４１】  図１４は遮光部材１の外周に樹脂１９を巻いたものを示している。
【符号の説明】
【００４２】１・・・遮光部材
２・・・端部
３・・・ホワイトニング照射器
４・・・照射口
５・・・端部
６・・・本体
７・・・アーム
８・・・凹形状
９・・・カール
１０・・・鍔
１１・・・開口部
１２・・・透明仕切り板
１３・・・内筒
１４・・・外筒
１５・・・透明フィルム
１６・・・段部
１７・・・透明のコップ状部材
１８・・・筒状部材
１９・・・樹脂
Ａ・・・使用者
Ｂ・・・口
Ｃ・・・歯茎
Ｄ・・・歯
【図１】
2016221190.tif 000003
【図２】
2016221190.tif 000004
【図３】
2016221190.tif 000005
【図４】
2016221190.tif 000006
【図５】
2016221190.tif 000007
【図６】
2016221190.tif 000008
【図７】
2016221190.tif 000009
【図８】
2016221190.tif 000010
【図９】
2016221190.tif 000011
【図１０】
2016221190.tif 000012
【図１１】
2016221190.tif 000013
【図１２】
2016221190.tif 000014
【図１３】
2016221190.tif 000015
【図１４】
2016221190.tif 000016